(57)【特許請求の範囲】
【請求項１】
磁力により止水状態と吐水状態とを切り替える水栓装置であって、
主弁体、及びこの主弁体が着座する弁座を有する開閉弁と、
弁体移動部材を有し、上記主弁体を移動させる弁体移動機構と、
上記開閉弁および上記弁体移動機構を収容している水栓本体と、
この水栓本体の外部に配置されると共に、上記弁体移動部材との間で磁力が作用する弁制御部材を有する開閉弁操作部と、を備え、
この開閉弁操作部が、止水位置と吐水位置との間で直線上を摺動自在であり、
上記開閉弁操作部が上記止水位置と上記吐水位置との間で移動された際に、上記弁制御部材と上記弁体移動部材との間に作用する磁力に基づいて、上記弁制御部材と上記弁体移動部材との間の距離が変化して、上記弁体移動機構は上記主弁体を上記開閉弁操作部の摺動方向に対して交差する方向に移動させて、上記開閉弁を開閉させることを特徴とする水栓装置。
【請求項２】
さらに、開閉弁操作部保持手段を備え、この開閉弁操作部保持手段が、上記開閉弁操作部を上記止水位置に保持する請求項１に記載の水栓装置。
【請求項３】
さらに、摺動抵抗手段を備え、この摺動抵抗手段が、上記吐水位置と上記止水位置との間における上記開閉弁操作部の摺動に抵抗を与える請求項１または請求項２に記載の水栓装置。
【請求項４】
上記水栓本体が、上記開閉弁および上記弁体移動機構を複数収容しており、上記複数の開閉弁が、上記開閉弁操作部の単一の弁制御部材により開閉される請求項１乃至請求項３の何れか１項に記載の水栓装置。
【請求項５】
上記弁制御部材が、上記開閉弁操作部に埋設されている請求項１乃至請求項４の何れか１項に記載の水栓装置。
【請求項６】
上記弁制御部材が、上記開閉弁操作部と一体成形されている請求項１乃至請求項５の何れか１項に記載の水栓装置。
【請求項７】
上記開閉弁が、ダイヤフラム式の開閉弁である請求項１乃至請求項６の何れか１項に記載の水栓装置。
【請求項８】
上記弁体移動機構は、上記弁制御部材が上記弁体移動部材を吸着したとき上記主弁体を開弁させるように構成され、上記弁制御部材又は上記弁体移動部材は、所定温度以上になると、これらの間に作用する作用する磁力が低下し、かつ、上記弁体移動機構が上記開閉弁を開弁させることができなくなるように構成されている請求項１乃至請求項７の何れか１項に記載の水栓装置。
【請求項９】
上記弁制御部材は永久磁石により構成され、上記開閉弁操作部が上記吐水位置に移動された状態においては、上記弁制御部材の端部が上記弁体移動部材の端部と接近することにより、上記弁体移動部材を吸着する請求項１乃至請求項８の何れか１項に記載の水栓装置。
【請求項１０】
さらに、上記開閉弁の下流側に配置され、円筒形の弁体の回動により流量を調節する流量調整弁と、この流量調整弁に接続され回動動作によって上記弁体を回動させる流調弁操作部とを備え、上記流量調整弁の弁体の回動軸が、上記流調弁操作部の回動軸に対して偏心している請求項１乃至請求項９の何れか１項に記載の水栓装置。
【請求項１１】
上記開閉弁は、さらに、圧力開放孔を有すると共にこの圧力開放孔が閉鎖されると内部の圧力が上昇して上記主弁体を上記弁座に着座させる圧力室と、上記圧力開放孔を開閉するパイロット弁体と、を有し、上記弁体移動機構は、上記弁体移動部材と上記弁制御部材との間に作用する磁力に基づいて上記パイロット弁体を移動させ、上記主弁体を開閉させる請求項１乃至請求項１０の何れか１項に記載の水栓装置。
【発明の詳細な説明】
【技術分野】
【０００１】
本発明は、水栓装置に係り、特に磁力により止水状態と吐水状態とを切り替える水栓装置に関する。
【背景技術】
【０００２】
特許３６８７７３４号公報（特許文献１）には、電磁式給水弁装置が記載されている。この電磁式給水弁装置は、ダイヤフラム弁と、このダイヤフラム弁に形成されたパイロットオリフィスを開閉するパイロット弁と、このパイロット弁がパイロットオリフィスを閉弁するように、パイロット弁を付勢するコイルスプリングと、を有する。さらに、電磁式給水弁装置は、パイロット弁を取り囲むように配置され、パイロット弁を摺動可能に支持するガイドケースを有し、このガイドケースの内側と、ダイヤフラム弁の上面との間に背圧室が形成されている。また、パイロット弁は磁石を有する一方、ガイドケースを取り囲むように配置された可動部材にも磁石が設けられている。この電磁式給水弁装置において、可動部材が押圧操作されると、パイロット弁に設けられた磁石と可動部材に設けられた磁石が接近するため、パイロット弁は磁力により吸引され、コイルスプリングの付勢力に抗して引き上げられる。これにより、ダイヤフラム弁のパイロットオリフィスが開弁され、背圧室内の圧力が低下することにより、ダイヤフラム弁が開弁される。
【先行技術文献】
【特許文献】
【０００３】
【特許文献１】特許３６８７７３４号公報
【発明の概要】
【発明が解決しようとする課題】
【０００４】
しかしながら、特許文献１記載の電磁式給水弁装置（水栓装置）では、磁石をパイロット弁の摺動方向に移動させて、吸着、離間を行っているため、パイロット弁（主弁体）の摺動方向に開閉弁が大型化するという問題がある。即ち、パイロット弁が磁石に吸着された状態と、磁石から離れた状態とを切り替えるには、磁石が設けられた可動部材を長いストロークで移動させる必要があり、このストロークを確保するためにパイロット弁の摺動方向に開閉弁が大型化するという問題がある。
【０００５】
そこで、本発明は、従来技術の問題や課題を解決するためになされたものであり、パイロット弁の移動方向のサイズが小型化することができる水栓装置を提供することを目的としている。
【課題を解決するための手段】
【０００６】
上記の目的を達成するために、本発明は、磁力により止水状態と吐水状態とを切り替える水栓装置であって、主弁体、及びこの主弁体が着座する弁座を有する開閉弁と、弁体移動部材を有し、主弁体を移動させる弁体移動機構と、開閉弁および弁体移動機構を収容している水栓本体と、この水栓本体の外部に配置されると共に、弁体移動部材との間で磁力が作用する弁制御部材を有する開閉弁操作部と、を備え、この開閉弁操作部が、止水位置と吐水位置との間で直線上を摺動自在であり、開閉弁操作部が止水位置と吐水位置との間で移動された際に、弁制御部材と弁体移動部材との間に作用する磁力に基づいて、弁制御部材と弁体移動部材との間の距離が変化して、弁体移動機構は主弁体を開閉弁操作部の摺動方向に対して交差する方向に移動させて、開閉弁を開閉させることを特徴としている。
このように構成された本発明においては、弁体移動機構は、開閉弁操作部の弁制御部材との間に作用する磁力によって開閉弁操作部の摺動方向に対して交差する方向に主弁体を移動させて、開閉弁を開閉させる。このため、弁制御部材を移動させるためのストロークを、主弁体の移動方向に確保しておく必要がなく、主弁体の移動方向において水栓装置を小型化させることができる。
【０００７】
本発明において、好ましくは、さらに、開閉弁操作部保持手段を備え、この開閉弁操作部保持手段が、開閉弁操作部を止水位置に保持する。
このように構成された本発明においては、開閉弁操作部保持手段が、開閉弁操作部を止水位置に保持するので、止水位置と吐水位置との間の開閉弁操作部の偶発的な移動を抑制することができ、使用者の意図しない不意の吐水を防止することができる。
【０００８】
本発明において、好ましくは、さらに、摺動抵抗手段を備え、この摺動抵抗手段が、吐水位置と止水位置との間における開閉弁操作部の摺動に抵抗を与える。
このように構成された本発明においては、摺動抵抗手段が、吐水位置と止水位置との間における開閉弁操作部の摺動に抵抗を与えるので、使用者による吐水操作、止水操作にクリック感が与えられ、使用者は自己の操作を手指の感触で認識することができる。
【０００９】
本発明において、好ましくは、水栓本体が、開閉弁および弁体移動機構を複数収容しており、複数の開閉弁が、開閉弁操作部の単一の弁制御部材により開閉される。
このように構成された本発明においては、水栓本体が開閉弁を複数備えているので、単一の水栓本体から様々な吐水態様を選択自在にすることができる。
さらに、複数の開閉弁が、単一の弁制御部材により開閉されるので、複数の開閉弁に対して弁制御部材を兼用にすることができ、水栓装置を簡便な構造にすることができる。
【００１０】
本発明において、好ましくは、弁制御部材が、開閉弁操作部に埋設されている。
このように構成された本発明においては、開閉弁操作部の弁制御部材が、開閉弁操作部に埋設されているので、磁性体である弁制御部材が水と接触することを抑制するため、弁制御部材の腐食を抑制することができる。
【００１１】
本発明において、好ましくは、弁制御部材が、開閉弁操作部と一体成形されている。
このように構成された本発明においては、開閉弁操作部の弁制御部材が、開閉弁操作部と一体成形されているので、開閉弁操作部の弁制御部材が開閉弁操作部から脱落することを抑制できる。
【００１２】
本発明において、好ましくは、開閉弁が、ダイヤフラム式の開閉弁である。
このように構成された本発明においては、開閉弁が、ダイヤフラム式の開閉弁であるので、精度よく開閉弁の開閉を行うことができる。
【００１３】
本発明において、好ましくは、弁体移動機構は、弁制御部材が弁体移動部材を吸着したとき主弁体を開弁させるように構成され、弁制御部材又は弁体移動部材は、所定温度以上になると、これらの間に作用する作用する磁力が低下し、かつ、弁体移動機構が開閉弁を開弁させることができなくなるように構成されている。
このように構成された本発明においては、弁制御部材又は弁体移動部材は、これらの何れか一方又は両方が所定温度以上になると、これらの間に作用する磁力が低下し、かつ、弁体移動機構が、開閉弁を開弁させることができなくなるように構成されている。このため、弁制御部材又は弁体移動部材が加熱されて所定温度以上になると、開閉弁が閉弁され、所定温度以上の湯の吐出を防止することができる。これにより、高温の湯の吐出を防止するハイカット弁等の機構を別に設ける必要がなくなり、水栓装置を小型化させることができる。
【００１４】
本発明において、好ましくは、弁制御部材は永久磁石により構成され、開閉弁操作部が吐水位置に移動された状態においては、弁制御部材の端部が弁体移動部材の端部と接近することにより、弁体移動部材を吸着する。
このように構成された本発明においては、開閉弁操作部が吐水位置に移動された状態においては、弁制御部材の端部が弁体移動部材の端部と接近するので、弁制御部材の磁力が最も強い端部で弁体移動部材を吸着することができ、磁力の弱い弁制御部材でも弁体移動機構を作動させることができる。
【００１５】
本発明において、好ましくは、さらに、開閉弁の下流側に配置され、円筒形の弁体の回動により流量を調節する流量調整弁と、この流量調整弁に接続され回動動作によって弁体を回動させる流調弁操作部とを備え、流量調整弁の弁体の回動軸が、流調弁操作部の回動軸に対して偏心している。
このように構成された本発明においては、流量調整弁の弁体の回動軸が、流調弁操作部の回動軸に対して偏心しているので、流量調整弁の弁体が回動する軸線の径方向に水栓装置を小型化させることができる。
【００１６】
本発明において、好ましくは、開閉弁は、さらに、圧力開放孔を有すると共にこの圧力開放孔が閉鎖されると内部の圧力が上昇して主弁体を弁座に着座させる圧力室と、圧力開放孔を開閉するパイロット弁体と、を有し、弁体移動機構は、弁体移動部材と弁制御部材との間に作用する磁力に基づいてパイロット弁体を移動させ、主弁体を開閉させる。
このように構成された本発明においては、弁体移動機構はパイロット弁体を移動させるので、弁体移動部材と弁制御部材との間に作用する磁力が弱い場合であってもパイロット弁体を移動させることができ、弁体移動部材又は弁制御部材を小型化することが可能になる。
【発明の効果】
【００１７】
本発明の水栓装置によれば、開閉弁の主弁体の移動方向において水栓装置を小型化させることができる。
【図面の簡単な説明】
【００１８】
【図１】本発明の第１実施形態による水栓装置が設置されている状態を示す斜視図である。
【図２】本発明の第１実施形態による水栓装置の正面断面図である。
【図３】本発明の第１実施形態による水栓装置の分解斜視図である。
【図４】本発明の第１実施形態による水栓装置に内蔵されている水栓本体の分解斜視図である。
【図５】本発明の第１実施形態による水栓装置に内蔵されている開閉弁の分解斜視図である。
【図６】本発明の第１実施形態による水栓装置に内蔵されている開閉弁の部分を拡大して示す断面図である。
【図７】本発明の第２実施形態によるシャワーヘッドの斜視図である。
【図８】本発明の第２実施形態によるシャワーヘッドの全断面図である。
【図９】本発明の第２実施形態によるシャワーヘッドに内蔵されている開閉弁の部分を拡大して示す断面図である。
【図１０】本発明の第３実施形態による吐水ヘッドの斜視図である。
【図１１】本発明の第３実施形態による吐水ヘッドの全断面図である。
【図１２】本発明の第３実施形態による吐水ヘッドに内蔵されている開閉弁の部分を拡大して示す断面図である。
【発明を実施するための形態】
【００１９】
まず、図１を用いて、本発明の第１実施形態による水栓装置を説明する。図１は、本発明の第１実施形態による水栓装置が設置されている状態を示す概略図である。
【００２０】
水栓装置１は外形が概ね直方体であり、水栓装置１の背面には壁面Ｗに設けられた給湯源（図示せず）から延びる湯供給管２と、壁面Ｗに設けられた給水源（図示せず）から延びる水供給管４とが接続されており、これら湯供給管２および水供給管４によって水栓装置１が壁面Ｗに固定されている。さらに、水栓装置１の下部にはカラン６が設けられており、水栓装置１の背面にはシャワーホース８ａを介してシャワーヘッド８が接続されている。また、水栓装置１の上面には開閉操作部１０が設けられ、左側端部には温調ハンドル１２、右側端部には流調ハンドル１４が夫々設けられている。
本実施形態の水栓装置１は、開閉操作部１０を左右方向に操作することにより、止水状態と、カラン６からの吐水と、シャワーヘッド８からの吐水を切り替えることができる。また、水栓装置１は、温調ハンドル１２を回動操作することにより吐水温度を調整することができると共に、流調ハンドル１４を回動操作することにより吐水流量を調整することができる。
【００２１】
次に、図２乃至図６を用いて本発明の第１実施形態による水栓装置の構造について説明する。
図２は、本発明の第１実施形態による水栓装置の正面断面図である。図３は水栓装置の分解斜視図であり、図４は水栓装置に内蔵されている水栓本体の分解斜視図である。図５は本発明の第１実施形態による水栓装置に内蔵されている開閉弁の分解斜視図である。図６は、水栓装置に内蔵されている開閉弁の部分を拡大して示す断面図である。
【００２２】
図２及び図３に示すように、水栓装置１は、機能部であり円柱状の水栓本体１６と、水栓本体１６の前方を覆う前面カバー１８と、水栓本体１６の後方を覆う背面カバー２０と、を備えている。この水栓本体１６の左側には温調ハンドル１２が取り付けられ、水栓本体１６の右側には流調ハンドル（流調弁操作部）１４が取り付けられている。温調ハンドル１２及び流調ハンドル１４は、それぞれ概ね直方体であり、下方が水栓本体１６に合わせて膨出している。そして、温調ハンドル１２と流調ハンドル１４とは、水栓本体１６を介して対称な形状となっている。
前面カバー１８は、概ね平面である上面部と、この上面部の手前側の端部から後方の下方側に延びる正面部とを備えている。この正面部の底部には、外郭部材２２のカラン接続口２２ｅ（図４）を収めるように凹部が形成されている。
【００２３】
背面カバー２０は、概ね長方形の板状部材であり、左から順番に、水栓本体１６の湯供給口と対向する円形の湯供給口挿入穴と、シャワー接続口と対向する円形のシャワー接続口挿入穴と、水供給口と対向する円形の水供給口挿入穴と、を備えている。このように構成された背面カバー２０は、水栓本体１６の後方背面を覆うものであり、水栓装置１全体の美観を整えると共に、使用者が誤って水栓本体１６に触れることを抑制している。
【００２４】
また、図３に示すように、前面カバー１８の上面には、プレート状の開閉操作部１０が左右にスライド可能に取り付けられている。即ち、開閉操作部１０は、後述する吐水位置と止水位置との間で摺動自在となっている。一方、前面カバー１８の内側には連結部材１０ａが配置されており、この連結部材１０ａは、前面カバー１８を貫通して外側の開閉操作部１０に取り付けられている。また、連結部材１０ａの内部には、弁制御部材として永久磁石である円板状のマグネット１０ｂが埋設されている。本実施形態においては、連結部材１０ａは樹脂製であり、内部にマグネット１０ｂが埋め込まれるように、射出成形によりマグネット１０ｂと一体成形されている。これにより、開閉操作部１０が左右にスライド操作されると、これに取り付けられた連結部材１０ａ及びマグネット１０ｂも共に移動され、マグネット１０ｂが埋め込まれた連結部材１０ａが水栓本体１６の表面上を摺動する。マグネット１０ｂは、水栓本体１６内に収納された開閉弁との間で磁力を及ぼし合って、開閉弁を開閉操作する。本実施形態において、開閉操作部１０、連結部材１０ａ、及びマグネット１０ｂは、開閉弁操作部として機能する。
【００２５】
次に、図２乃至図４を参照して、水栓本体１６を説明する。
図４に示すように、水栓本体１６は、外郭を構成する概ね円筒状の外郭部材２２と、この外郭部材２２の端部開口から挿入され、外郭部材２２の内部に配置されている概ね円筒状の内部ケーシング２４と、この内部ケーシング２４の内側に配置されている概ね円柱状の温調ユニット２６と、この温調ユニット２６と隣接して内部ケーシング２４の内部に配置されている概ね円柱状の開閉弁ユニット２８と、を備えている。さらに、内部ケーシング２４の外側には、弁体移動部材である２つのプランジャ３０、３１と、これらのプランジャを付勢するプランジャ付勢ばね３２、３３と、プランジャを夫々取り囲むように配置された２つのＯリング３４ａ、３４ｂが配置されている。これらプランジャ３０及びプランジャ付勢ばね３２は、開閉弁ユニット２８に内蔵されたシャワー吐水用のパイロット弁体を操作するための弁体移動機構を構成し、プランジャ３１及びプランジャ付勢ばね３３は、カラン吐水用のパイロット弁体を操作するための弁体移動機構を構成する。
【００２６】
また、水栓本体１６の、開閉弁ユニット２８側の端部には、流調ノブ３６と、この流調ノブ３６を回動可能に支持する軸受部材３８が配置されている。さらに、水栓本体１６の両側の端部には、環状の押えリング４０ａ、４０ｂが配置され、外郭部材２２に内蔵された各部品が固定されている。図４に示すように、開閉弁ユニット２８は、一体に構成された円筒状の外郭部材２２の側端部から、その内部に完全に収納されており、開閉弁ユニット２８を操作するための機構は、外部に何ら露出していない。
【００２７】
図４に示すように、外郭部材２２は、左右の端面に左開口２２ａ、右開口２２ｂが夫々形成されており、後方背面には円形の湯供給口２２ｃと円形の水供給口２２ｄが形成されており、左右方向の中央部の底面には円形のカラン接続口２２ｅが形成されており、左右方向の中央部の背面には円形のシャワー接続口２２ｆが形成されている。なお、湯供給口２２ｃと水供給口２２ｄはシャワー接続口２２ｆを中心として左右対称に配置されている。
また、湯供給口２２ｃには湯供給管２が、水供給口２２ｄには水供給管４が、カラン接続口２２ｅにはカラン６が、シャワー接続口２２ｆにはシャワーホース８ａが夫々接続されている。
【００２８】
図４に示すように、内部ケーシング２４は概ね円筒形であり、左右の端面に左開口２４ａ、右開口２４ｂが夫々形成されている。この内部ケーシング２４は外郭部材２２の内側に配置され、外郭部材２２の内周面と内部ケーシング２４の外周面との間に、供給された湯及び水を流すための通路を形成している。また、内部ケーシング２４の外周面には、プランジャ３０、３１を夫々収容するための２つの円形の凹部２４ｃ、２４ｄが夫々設けられ、これらの凹部２４ｃ、２４ｄを取り囲むように、Ｏリング３４ａ、３４ｂが夫々配置されている。これらの凹部２４ｃ、２４ｄの中心には、プランジャ３０、３１に設けられた突起（図４には図示せず）を突出させるための円形孔が夫々形成されている。プランジャ３０、３１等の構成及び作用については後述する。
【００２９】
図４に示すように、温調ユニット２６は、概ね円筒形であり、外郭部材２２の左側の端部に収納されている。
また、図２に示すように、温調ユニット２６は、本体を構成する円筒状の第一本体部材４２ａと、この第一本体部材４２ａと概ね同じ外径を有する円筒状の第二本体部材４２ｂと、を有し、これら第一、第二本体部材で構成された本体の内部に摺動可能に配置された円筒状の温調主弁体４４を有する。
さらに、第一本体部材４２ａの左側端部には概ね円柱状の送りねじ４６が回動可能に配置されており、この送りねじ４６の先端部が第一本体部材４２ａ端面の中心から突出している。この送りねじ４６の突出部には、温調ハンドル１２が取り付けられている。さらに、第一本体部材４２ａの内部には、送りねじ４６と螺合する概ね円柱状の摺動部材４８が配置されており、温調ハンドル１２を操作することにより、送りねじ４６が回動され、これに螺合された摺動部材４８が軸線方向に摺動させるようになっている。
【００３０】
さらに、温調ユニット２６の内部には、摺動部材４８に隣接するように、バイアスばね５０と、温調主弁体４４と、感温ばね５２が、この順序で配置されている。バイアスばね５０は、摺動部材４８と温調主弁体４４の間に配置されたコイルばねであり、温調主弁体４４を図２の右方向に付勢している。感温ばね５２は、第二本体部材４２ｂの端部内壁面と温調主弁体４４の間に配置された形状記憶合金製のコイルばねであり、温調主弁体４４を図２の左方向に付勢している。
【００３１】
この構成により、摺動部材４８が軸線方向に移動されると、バイアスばね５０の付勢力と感温ばね５２の付勢力が釣り合う位置が変化し、これらの間に配置された温調主弁体４４の初期位置が変化する。一方、第一本体部材４２ａの右側端部には湯側シート面４２ｃが設けられ、第二本体部材４２ｂの左側端部には水側シート面４２ｄが設けられており、温調主弁体４４は、これら湯側シート面４２ｃと水側シート面４２ｄの間で摺動される。内部ケーシング２４内に流入した湯は、湯側シート面４２ｃと温調主弁体４４の左端部との間を通って温調ユニット２６の内部に流入する。一方、内部ケーシング２４内に流入した水は、水側シート面４２ｄと温調主弁体４４の右端部との間を通って温調ユニット２６の内部に流入する。このため、温調主弁体４４が軸線方向に摺動されると、温調ユニット２６内に流入する湯と水の割合が変化する。流入した湯及び水は、温調ユニット２６内で混合され、感温ばね５２の内側を通って温調ユニット２６の右端部から流出する。従って、温調ハンドル１２の操作により温調主弁体４４の初期位置が変化され、温調ユニット２６から流出する湯の温度を調整することができる。また、温調ユニット２６から流出する湯の温度が上昇すると、感温ばね５２の付勢力が増大して、温調主弁体４４は図２の左方向に移動され、湯の流入量が減少すると共に水の流入量が増大する。一方、湯の温度が低下すると、感温ばね５２の付勢力が減少して、温調主弁体４４は図２の右方向に移動され、湯の流入量が増大すると共に水の流入量が減少する。これにより、温調ユニット２６から流出する湯の温度は、温調ハンドル１２によって設定された温度に調整される。
【００３２】
次に、図２乃至図６を参照して、水栓本体１６に内蔵されている開閉弁ユニット２８を説明する。
開閉弁ユニット２８は、図４に示すように概ね円柱状であり、図５に示すように、２つのパイロット弁式の開閉弁５４ａ、５４ｂ、及び流量調整用の弁体５６を内蔵している。
図５に示すように、開閉弁ユニット２８は、外観を形成する概ね円柱形であるケーシング５８と、このケーシング５８に取り付けられた概ね円盤状の２つの主弁体６０、６１と、これらの主弁体６０、６１の上に夫々取り付けられた主弁体抑え６２、６３と、主弁体抑え固定板６４、６５と、主弁体抑え６２、６３及び主弁体抑え固定板６４、６５をケーシング５８に固定する８本の固定ねじ６６とを備えている。さらに、主弁体抑え６２、６３と主弁体抑え固定板６４、６５の間には、パイロット弁体６８、６９と、これらのパイロット弁体６８、６９を夫々開弁方向に付勢する付勢ばね７０、７１が夫々配置されている。ここで、主弁体６０、主弁体抑え６２、ケーシング５８に設けられた弁座７２（図６）、パイロット弁体６８、及び付勢ばね７０は、開閉弁５４ａを構成する。同様に、主弁体６１、主弁体抑え６３、ケーシング５８に設けられた弁座７３（図６）、パイロット弁体６９、及び付勢ばね７１は、開閉弁５４ｂを構成する。
【００３３】
概ね円柱状のケーシング５８下部には、軸線方向に延びる円形のボア５８ａが形成され、この中に流量調整用の弁体５６が回動可能に挿入されている。これらのボア５８ａ及びこれに挿入された弁体５６は、流量調整弁として機能する。
流量調整用の弁体５６は丸棒状の部材であり、開閉弁５４ａ、５４ｂに夫々対応する位置に、両側から切欠５６ａ、５６ｂが設けられており、これらの部分が扁平にされている。また、弁体５６の、図５における右側の端部には、操作ギア５６ｃが形成されている。この操作ギア５６ｃは、流調ノブ３６（図４）の端部に設けられたギア部３６ａと係合されており、流調ハンドル１４（図１）を操作して流調ノブ３６を回動させると、弁体５６がボア５８ａの中で回動されるようになっている。このように、流調ノブ３６の回転軸線に対して、弁体５６の回転軸線は偏心している。
【００３４】
図２に示すように、流調ハンドル１４は流調ノブ３６を介して弁体５６と連結されており、流調ハンドル１４を回動させると弁体５６が回動する。弁体５６が回動すると、その扁平部の角度が変化することにより、開閉弁５４ａ、５４ｂから流出した湯水混合水の流路断面積が変更され、下流側へ流出する水量が調整される。
【００３５】
一方、図５に示すように、概ね円柱状のケーシング５８の側面には、２箇所に切欠が設けられ、矩形の平面部５８ｃ、５８ｄが形成されている。これらの平面部５８ｃ、５８ｄの中央には円形の凹部５８ｅ、５８ｆが夫々形成されており、これらの凹部５８ｅ、５８ｆの中に夫々主弁体６０、６１が配置される。これらの主弁体６０、６１を覆うように、主弁体抑え６２、６３が夫々取り付けられ、主弁体６０、６１がケーシング５８に固定される。また、円形の凹部５８ｅ、５８ｆの内側には、同心円状に弁座７２、７３が夫々設けられ、これらの弁座７２、７３に、主弁体６０、６１が夫々着座される。さらに、これらの弁座７２、７３の内側に形成された各弁口はケーシング５８の軸線方向に形成されたボア５８ａに連通されている（図６）。また、ケーシング５８の側面の左側端面には、温調ユニット２６から流出した湯水混合水を流入させる流入口５８ｂ（図６）が形成されており、この流入口５８ｂは、ケーシング５８の内部に形成された流路（図示せず）を通って、弁座７２、７３の外側の空間７２ａ、７３ａに夫々連通している。
【００３６】
以下では、主弁体６０、主弁体抑え６２、弁座７２、パイロット弁体６８、及び付勢ばね７０によって構成された開閉弁５４ａについて説明するが、開閉弁５４ｂも同様に構成されている。
主弁体６０は、概ね円盤状に構成され、その中央の円形の本体部と、この本体部の周囲に設けられた可撓性部から構成されている。主弁体６０は、その可撓性部がケーシング５８と主弁体抑え６２の間に挟持されることにより、弁座７２に対して着座／離座可能に支持される。
主弁体抑え６２は、概ね正方形状の基部６２ａと、この基部６２ａから上方に半球状に膨出した主弁体収納部６２ｂとを備え、この主弁体収納部の頂部には凹部６２ｃが形成されている。
【００３７】
同様に、主弁体抑え固定板６４も、概ね正方形状の基部６４ａと、この基部６４ａから上方に半球状に膨出した膨出部６４ｂとを備え、主弁体抑え６２を覆うように配置されている。
一方、主弁体抑え６２の凹部６２ｃには、概ね円柱状のパイロット弁体６８および付勢ばね７０が収容されており、これらは主弁体抑え６２と主弁体抑え固定板６４の間に保持されている。さらに、凹部６２ｃの底面中央には、パイロット弁体６８によって開閉される円形の圧力開放孔６２ｄ（図６）が形成されている。パイロット弁体６８は、圧力開放孔６２ｄから離間するように、付勢ばね７０によって主弁体抑え固定板６４に向けて付勢されている。また、主弁体収納部６２ｂの内側壁面と、主弁体６０の上面との間の空間は、主弁体６０を弁座７２に着座させる圧力室７４（図６）として機能する。一方、主弁体６０には、開閉弁５４ａの上流側と圧力室７４内とを連通させる小孔６０ａ（図６）が形成されており、開閉弁５４ａの上流側の空間７２ａの湯水混合水はこの小孔６０ａを介して圧力室７４内に流入する。ここで、圧力開放孔６２ｄがパイロット弁体６８によって閉弁されている状態では、小孔６０ａを通って流入した湯水混合水が圧力室７４内に充満し、圧力室７４内の圧力が上昇する。圧力室７４内の圧力が上昇すると、この圧力により、主弁体６０は弁座７２に向けて押圧され、開閉弁５４ａが閉弁される。このように、開閉弁５４ａはダイヤフラム式の開閉弁として機能する。
【００３８】
同様に、開閉弁５４ｂにおいて、主弁体収納部６３ｂの内側壁面と、主弁体６１の上面との間の空間は、圧力室７５として機能する。また、主弁体抑え６３の凹部６３ｃの底面中央には、パイロット弁体６９によって開閉される圧力開放孔６３ｄ（図６）が形成され、主弁体６１には、開閉弁５４ｂの上流側の空間７３ａと圧力室７５内とを連通させる小孔６１ａが形成されている（図６）。
【００３９】
次に、図６を参照して、パイロット弁体を移動させる弁体移動機構を説明する。
本実施形態においては、弁体移動機構は、外郭部材２２と内部ケーシング２４との間に配置されたプランジャ３０、３１、及びプランジャ付勢ばね３２、３３（図４）によって構成されている。なお、以下では、パイロット弁体６８を移動させるための、プランジャ３０及びプランジャ付勢ばね３２によって構成された弁体移動機構について説明するが、パイロット弁体６９を移動させるための、プランジャ３１及びプランジャ付勢ばね３３によって構成された弁体移動機構も同様に構成されている。
【００４０】
プランジャ３０は、磁性材料によって構成された概ね円盤状の部材であり、その中央部には、パイロット弁体６８を押下するための半球状の突起３０ａが設けられている。また、プランジャ３０は、内部ケーシング２４に設けられた円形の凹部の内側に、上下動可能に配置されている。プランジャ３０の突起３０ａは、その先端が、内部ケーシング２４及び主弁体抑え固定板６４（図５）を貫通して、パイロット弁体６８を押下するように構成されている。
【００４１】
プランジャ付勢ばね３２は、プランジャ３０と外郭部材２２との間に配置されたコイルばねであり、プランジャ３０をパイロット弁体６８に向けて付勢するように構成されている。プランジャ付勢ばね３２の付勢力により、プランジャ３０がパイロット弁体６８を押下すると、パイロット弁体６８は、主弁体抑え６２に設けられた圧力開放孔６２ｄを閉弁する。
【００４２】
図６に示す状態においては、開閉操作部１０に埋め込まれたマグネット１０ｂ（図３）は、開閉弁５４ｂのプランジャ３１に近接し、開閉弁５４ａのプランジャ３０からは離間している。この状態においては、プランジャ３０はプランジャ付勢ばね３２の付勢力によって押下されるため、突起３０ａがパイロット弁体６８を押下して圧力開放孔６２ｄが閉弁される。これにより、圧力室７４内の圧力が上昇して、主弁体６０が弁座７２に着座され、開閉弁５４ａは閉弁される。一方、図６において、マグネット１０ｂは開閉弁５４ｂを構成するプランジャ３１に近接しており、この状態では、プランジャ３１がマグネット１０ｂに吸着され、プランジャ付勢ばね３３の付勢力に抗して上方に引き上げられる。即ち、マグネット１０ｂの磁力は、外郭部材２２を通して磁性材料製のプランジャ３１に作用し、プランジャ３１を引き上げる。プランジャ３１が上方に引き上げられると、パイロット弁体６９は付勢ばね７１の付勢力によって押し上げられ、主弁体抑え６３に形成された圧力開放孔６３ｄが開弁される。このため、圧力室７５内の圧力が上昇することはなく、主弁体６１は弁座７３から離座され、開閉弁５４ｂは開弁される。
【００４３】
一方、図２は、開閉操作部１０が図２における左側に摺動された状態を示しており、これに伴いマグネット１０ｂは、開閉弁５４ａのプランジャ３０に近接して配置されている。図２に示す状態においては、プランジャ３０がマグネット１０ｂの磁力により引き上げられ、これによってパイロット弁体６８（図６）が圧力開放孔６２ｄから離座しているため、主弁体６０は開弁状態となる。これに対して、マグネット１０ｂは、開閉弁５４ｂのプランジャ３１からは離間されているため、プランジャ３１は、プランジャ付勢ばね３３の付勢力により押下され、パイロット弁体６９が圧力開放孔を閉弁する。これにより、開閉弁５４ｂの主弁体６１は閉弁状態となる。このように、マグネット１０ｂが開閉弁５４ａのプランジャ３０に近接している位置（開閉操作部１０が左側に摺動されている位置：図２）は、開閉弁５４ｂの吐水位置であると共に、開閉弁５４ａの止水位置に該当する。一方、マグネット１０ｂが開閉弁５４ｂのプランジャ３１に近接している位置（開閉操作部１０が右側に摺動されている位置：図６）は、開閉弁５４ａの止水位置であると共に、開閉弁５４ｂの吐水位置に該当する。
【００４４】
さらに、図６に示すように、プランジャ３０とプランジャ３１の間には、開閉弁操作部保持手段である保持用マグネット７６と、この保持用マグネット７６の両側に配置された摺動抵抗手段である摺動抵抗用マグネット７８、８０が夫々配置されている。これらの保持用マグネット７６及び摺動抵抗用マグネット７８、８０は、何れも内部ケーシング２４に形成された凹部の中に受け入れられ、外郭部材２２と内部ケーシング２４との間に挟持されている。
【００４５】
ここで、使用者が開閉操作部１０を摺動操作して、図６に想像線で示すように、マグネット１０ｂが保持用マグネット７６に対向する位置まで移動されると、マグネット１０ｂは保持用マグネット７６に吸着される。この吸着力により、マグネット１０ｂは保持用マグネット７６と対向する位置に保持される。この位置においては、マグネット１０ｂは、プランジャ３０、３１の何れとも離間された状態にあるため、パイロット弁体６８、６９は各プランジャによって押下され、開閉弁５４ａ、５４ｂは何れも止水状態となる。即ち、マグネット１０ｂが保持用マグネット７６と対向している位置は、開閉弁５４ａ、５４ｂの何れに対しても止水位置となる。このように、マグネット１０ｂ及びこれに連結された開閉操作部１０は、開閉弁操作部保持手段である保持用マグネット７６によって適度な力で止水位置に保持されるので、開閉操作部１０の偶発的な吐水位置への移動が防止される。なお、本実施形態においては、マグネット１０ｂと吸着力を及ぼしあうように配置された保持用マグネット７６が開閉弁操作部保持手段として使用されているが、磁性を帯びていない磁性材料を開閉弁操作部保持手段として使用することもできる。或いは、板ばねと、これに係合するノッチ等、機械的な手段により開閉弁操作部保持手段を構成することもできる。
【００４６】
一方、摺動抵抗用マグネット７８、８０は、マグネット１０ｂとの間で反発力を及ぼし合うように配置されている。このため、例えば、図６において実線で示す位置から想像線で示す位置へマグネット１０ｂが移動され途中で摺動抵抗用マグネット８０からの反発力が作用し、マグネット１０ｂ（開閉操作部１０）の移動に適度な摺動抵抗が与えられる。これにより、吐水位置と止水位置との間の開閉操作部１０の移動に適度なクリック感が与えられる。同様に、摺動抵抗用マグネット７８は、マグネット１０ｂが想像線で示す位置から左側へ移動される際に、開閉操作部１０の移動に適度なクリック感を与える。なお、本実施形態においては、マグネット１０ｂとの間で作用する反発力によって摺動抵抗が与えられているが、板ばねと、これに係合するノッチ等、機械的な手段により摺動抵抗手段を構成することもできる。
【００４７】
次に、本発明の第１実施形態による水栓装置１の動作について図１乃至図６を用いて説明する。
【００４８】
まず、図６に示すように、止水状態においては、開閉操作部１０の弁制御部材であるマグネット１０ｂが、想像線で示す位置に配置され、保持用マグネット７６との間の磁力により保持用マグネット７６と対向する位置（止水位置）で保持されている。
このとき、湯供給口２２ｃ（図２）から水栓本体１６内に流入する湯ＨＷは、内部ケーシング２４の内側に入り、温調ユニット２６内に流入する。一方、水供給口２２ｄ（図２）から水栓本体１６内に流入する水ＣＷは、内部ケーシング２４と外郭部材２２との間に形成された流路を通って、温調ユニット２６に流入する。
なお、水ＣＷが内部ケーシング２４の外周を通ることにより、内部ケーシング２４の外側の温度が高くならず、万が一使用者が水栓本体１６に触れたとしても安全な構造となっている。
【００４９】
そして、温調ユニット２６内で水ＣＷと湯ＨＷが所定の割合で混合されることにより、温度調整された湯水混合水ＭＷが生成され、この湯水混合水ＭＷが温調ユニット２６の左端の流出口２６ａ（図４）を通って開閉弁ユニット２８に供給される。
開閉弁ユニット２８に供給された湯水混合水ＭＷは、開閉弁ユニット２８のケーシング５８の側面に形成された流入口５８ｂ（図２）を介して開閉弁ユニット２８内に流入する。流入口５８ｂから流入した湯水混合水ＭＷは、ケーシング５８内に設けられた流路（図示せず）を通って、弁座７２、７３の外側の空間７２ａ、７３ａ（図６）に夫々流入する。空間７２ａに流入した湯水混合水ＭＷは、主弁体６０に設けられた小孔６０ａを通って圧力室７４に流入する。同様に、空間７３ａに流入した湯水混合水ＭＷは、主弁体６１に設けられた小孔６１ａを通って圧力室７５に流入する。ここで、開閉操作部１０が止水位置に保持された状態においては、プランジャ付勢ばね３２、３３の付勢力によりプランジャ３０、３１がパイロット弁体６８、６９を夫々押下し、圧力開放孔６２ｄ、６３ｄが夫々閉弁されている。
【００５０】
これにより、圧力室７４、７５に流入した湯水混合水ＭＷが圧力開放孔６２ｄ、６３ｄから流出することはなく、圧力室７４、７５内に充満した湯水混合水ＭＷの水圧により主弁体６０、６１が弁座７２、７３に夫々押し付けられる。
したがって開閉弁５４ａ、５４ｂとも閉弁され、各開閉弁よりも下流側に湯水混合水ＭＷが流れなくなる。
【００５１】
続いて、カラン６から吐水する場合の吐水状態について説明する。
図６に示すように、カラン６から吐水する場合は、開閉操作部１０を止水位置から右に、開閉操作部１０に連結されたマグネット１０ｂの端部がプランジャ３１の端部と最接近する位置（吐水位置）まで動かす。
このとき、保持用マグネット７６とプランジャ３１の間に、摺動抵抗用マグネット８０が設けられていることにより、開閉操作部１０の移動方向と逆方向の力が発生し、クリック感が生み出される。
なお、吐水位置から止水位置に移動させる際も同様にクリック感が与えられる。
【００５２】
吐水位置においては、開閉操作部１０のマグネット１０ｂとプランジャ３１との間に作用する磁力によりプランジャ３１がマグネット１０ｂ側に引き寄せられる。
これにより、図６に示すように、圧力室７５内に充満していた湯水混合水ＭＷが圧力開放孔６３ｄから排出されるため、主弁体６１が弁座７３から離座し、主弁体６１と弁座７３の間の隙間から弁口に湯水混合水ＭＷが流出する。
流出した湯水混合水ＭＷは、流量調整用の弁体５６により流量調整された後、内部ケーシング２４から流出し、カラン６から吐水される。
すなわち、本発明の第１実施形態において、開閉操作部１０のマグネット１０ｂとの間に作用する磁力によって弁体移動機構を構成するプランジャ３１、プランジャ付勢ばね３３、パイロット弁体６９を開閉操作部１０の摺動方向に対して交差する方向に移動させて、開閉弁５４ｂを開閉させている。
【００５３】
なお、弁制御部材であるマグネット１０ｂはプランジャ３０、３１との間で磁力を作用させるが、マグネット１０ｂは所定温度（例えば５５度）以上になると磁性を失うような材質で形成されている。このため、水栓本体１６内に高温の湯が流入することにより、マグネット１０ｂが所定温度以上になると、プランジャ３０、３１を吸着する磁力が低下する。
マグネット１０ｂとプランジャとの間に作用する磁力が低下すると、プランジャ３０、３１をプランジャ付勢ばね３２、３３の付勢力に抗して引き上げることができなくなり、開閉弁５４ａ、５４ｂを開弁させることができなくなる。
これにより、水栓本体１６内に高温の湯が流入した場合には、各プランジャを引き上げることができなくなり、各開閉弁を開弁させることができなくなるので、カラン６やシャワーヘッド８からの高温の湯の吐出を防止することができる。
【００５４】
続いて、シャワーヘッド８から吐水する場合の吐水状態について説明する。
図２に示すように、開閉操作部１０を止水位置から左に動かすことにより、開閉操作部１０に連結されたマグネット１０ｂの端部がプランジャ３０の端部と最接近する位置（吐水位置）まで移動する。このとき、保持用マグネット７６とプランジャ３０の間に配置された摺動抵抗用マグネット７８により、開閉操作部１０の操作にクリック感が生み出される。吐水位置においては、開閉操作部１０のマグネット１０ｂとプランジャ３０との間に作用する磁力によりプランジャ３０がマグネット１０ｂ側に引き寄せられる。
これにより、圧力室７４内に充満していた湯水混合水ＭＷが圧力開放孔６２ｄから排出されるため、主弁体６０が弁座７２から離座し、主弁体６０と弁座７２の間の隙間から弁口に湯水混合水ＭＷが流出する。流出した湯水混合水ＭＷは、流量調整用の弁体５６により流量調整された後、内部ケーシング２４から流出し、シャワーヘッド８から吐水される。
【００５５】
上述した本発明の第１実施形態の水栓装置１によれば、弁体移動機構を構成するプランジャ３０、３１は、開閉操作部１０のマグネット１０ｂとの間に作用する磁力によって開閉操作部１０の摺動方向に対して交差する方向にパイロット弁体６８、６９を移動させて、開閉弁５４ａ、５４ｂを開閉させる。このため、マグネット１０ｂを移動させるためのストロークを、パイロット弁体６８、６９及び主弁体６０、６１の移動方向に確保しておく必要がなく、パイロット弁体及び主弁体の移動方向において水栓装置１を小型化させることができる。
【００５６】
また、本実施形態の水栓装置１によれば、開閉弁操作部保持手段である保持用マグネット７６が、開閉操作部１０を止水位置に保持するので、止水位置と吐水位置との間の開閉操作部１０の偶発的な移動を抑制することができ、使用者の意図しない不意の吐水を防止することができる。
【００５７】
さらに、本実施形態の水栓装置１によれば、摺動抵抗手段である摺動抵抗用マグネット７８、８０が、吐水位置と止水位置との間における開閉操作部１０の摺動に抵抗を与えるので、使用者による吐水操作、止水操作にクリック感が与えられ、使用者は自己の操作を手指の感触で認識することができる。
【００５８】
また、本実施形態の水栓装置１によれば、水栓本体１６が複数の開閉弁５４ａ、５４ｂを備えているので、単一の水栓本体１６から様々な吐水態様を選択自在にすることができる。
さらに、複数の開閉弁５４ａ、５４ｂが、単一のマグネット１０ｂにより開閉されるので、複数の開閉弁５４ａ、５４ｂに対してマグネット１０ｂを兼用にすることができ、水栓装置１を簡便な構造にすることができる。
【００５９】
さらに、本実施形態の水栓装置１によれば、開閉操作部１０のマグネット１０ｂが、開閉操作部１０に埋設されているので、マグネット１０ｂが水と接触することを抑制するため、弁制御部材の腐食を抑制することができる。
【００６０】
また、本実施形態による水栓装置１によれば、開閉操作部１０のマグネット１０ｂが、開閉操作部１０と一体成形されているので、マグネット１０ｂが開閉弁操作部から脱落することを抑制できる。
【００６１】
さらに、本実施形態の水栓装置１によれば、開閉弁５４ａ、５４ｂが、ダイヤフラム式の開閉弁であるので、精度よく開閉弁の開閉を行うことができる。
【００６２】
また、本実施形態の水栓装置１によれば、開閉操作部１０のマグネット１０ｂは、このマグネット１０ｂが所定温度以上になると、マグネット１０ｂとプランジャ３０、３１との間に作用する磁力が低下して、弁体移動機構が、パイロット弁体６８、６９を開弁させることができなくなるので、所定温度以上の湯の吐出を防止することができる。これにより、高温の湯の吐出を防止するハイカット弁等の機構を別に設ける必要がなくなり、水栓装置１を小型化させることができる。
【００６３】
さらに、本実施形態の水栓装置１によれば、開閉操作部１０が吐水位置に移動された状態においては、マグネット１０ｂの端部が弁体移動部材であるプランジャ３０、３１と接近するので、マグネット１０ｂの磁力が最も強い端部で弁体移動部材を吸着することができ、磁力の弱いマグネット１０ｂでも弁体移動機構を作動させることができる。
【００６４】
また、本実施形態による水栓装置１によれば、流量調整弁の弁体の回動軸が、流調弁操作部の回動軸に対して偏心しているので、流量調整弁の弁体が回動する軸線の径方向に水栓装置を小型化させることができる。
【００６５】
さらに、本実施形態の水栓装置１によれば、弁体移動機構はパイロット弁体６８、６９を移動させるので、プランジャ３０、３１とマグネット１０ｂとの間に作用する磁力が弱い場合であってもパイロット弁体６８、６９を移動させることができ、マグネット１０ｂを小型化することが可能になる。
【００６６】
次に、図７乃至９を参照して、本発明の第２実施形態による水栓装置を説明する。
本実施形態においては、本発明を水栓装置であるシャワーヘッドに適用している。図７は、本発明の第２実施形態によるシャワーヘッドの斜視図である。図８は本実施形態によるシャワーヘッドの全断面図であり、図９はシャワーヘッドに内蔵されている開閉弁の部分を拡大して示す断面図である。
【００６７】
本実施形態のシャワーヘッド１００は、開閉弁を内蔵したものである。図７に示すように、シャワーヘッド１００は、外郭を形成する水栓本体であるシャワーヘッド本体１０２と、シャワーヘッド本体１０２の先端部に設けられた散水板１０４と、この散水板１０４に隣接して設けられた開閉操作部１０６とを備えている。本実施形態のシャワーヘッド１００は、使用者がシャワーヘッド本体１０２の基端部を把持しながら開閉操作部１０６を摺動操作することにより、散水板１０４からの吐水と止水を切り換えられるようになっている。
【００６８】
図８に示すように、シャワーヘッド本体１０２には、シャワーヘッド本体１０２の内部に配置された第１通水路形成部材１０８と、この通水路形成部材１０８の先端に接続された開閉弁１１０と、この開閉弁１１０の下流側に接続され、散水板１０４に湯を導く第２通水路形成部材１１２が内蔵されている。
開閉操作部１０６は、シャワーヘッド本体１０２の散水板１０４に隣接して設けられた概ね平板状の部材であり、シャワーヘッド本体１０２上で摺動可能に取り付けられている。また、開閉操作部１０６の背面側には、弁制御部材であるマグネット１０６ａが埋め込まれている。本実施形態において、開閉操作部１０６及びマグネット１０６ａは、開閉弁操作部として機能する。なお、マグネット１０６ａは所定温度（例えば５５度）以上になると磁性が低下するような材質で形成されている。
第１通水路形成部材１０８は、シャワーヘッド本体１０２内に、その基端から延びるように配置された管状の部材である。第１通水路形成部材１０８の基端はシャワーホース（図示せず）に接続され、先端は開閉弁１１０の上流側に接続されている。
【００６９】
開閉弁１１０は、ダイヤフラム式の開閉弁であり、開閉操作部１０６の摺動操作により、開閉されるように構成されている。詳細については後述する。
第２通水路形成部材１１２は管状の部材であり、その基端部は開閉弁１１０の下流側に接続されている。また、第２通水路形成部材１１２の先端部は、散水板１０４の背面側に連通されており、第２通水路形成部材１１２を通過した湯が、散水板１０４に設けられた多数のノズル１０４ａから散水されるようになっている。
【００７０】
図９に示すように、開閉弁１１０は、弁座が形成されたケーシング１１４と、主弁体１１６と、パイロット弁体１１８と、このパイロット弁体１１８を付勢するコイルばね１２０と、パイロット弁体１１８を摺動可能に支持する圧力室形成部材１２２と、を備えている。
ケーシング１１４の内部には、第１通水路形成部材１０８と連通される流入部１１４ａと、この流入部１１４ａの下流側に設けられた円環状の弁座１１４ｂと、この弁座１１４ｂによって形成される弁口の下流側に設けられた流出部１１４ｃが形成されている。
【００７１】
主弁体１１６は、概ね円盤状の弁体であり、その中心には円形の圧力開放孔１１６ａが形成され、周縁部には円形の小孔１１６ｂが形成されている。主弁体１１６は、ケーシング１１４に設けられた弁座１１４ｂと対向するように配置され、弁座１１４ｂに着座及び離座できるようになっている。
【００７２】
圧力室形成部材１２２は、概ねカップ形の部材であり、その周縁部とケーシング１１４との間に主弁体１１６の外周を挟持することにより、主弁体１１６を固定している。さらに、圧力室形成部材１２２の中央部には、パイロット弁体１１８を摺動可能に受け入れる円形の弁摺動凹部１２２ａが形成されている。この弁摺動凹部１２２ａの中にはコイルばね１２０及びパイロット弁体１１８が配置され、コイルばね１２０の付勢力によりパイロット弁体１１８は主弁体１１６の圧力開放孔１１６ａに向けて付勢される。圧力室形成部材１２２の内壁面及び主弁体１１６の上面（弁座１１４ｂの反対側の面）によって囲まれた空間が圧力室１２４として機能する。また、主弁体１１６の圧力開放孔１１６ａは、圧力室１２４に設けられた圧力開放孔として機能する。
【００７３】
パイロット弁体１１８は、概ね円柱状の弁体であり、主弁体１１６の圧力開放孔１１６ａと対向して配置され、コイルばね１２０の付勢力により圧力開放孔１１６ａを閉弁可能に配置されている。また、パイロット弁体１１８は、磁性材料製のパイロット弁体本体部１１８ａと、圧力開放孔１１６ａを閉弁する弾性材料製のパッキン部１１８ｂと、を有する。なお、本実施形態において、パイロット弁体本体部１１８ａは、弁体移動部材として機能する。
【００７４】
図９に示すように、開閉操作部１０６が吐水位置に摺動され、マグネット１０６ａがパイロット弁体１１８に近接する位置に移動されると、パイロット弁体１１８はマグネット１０６ａの磁力によりコイルばね１２０の付勢力に抗して引きあげられる。これにより、パイロット弁体１１８は、主弁体１１６の圧力開放孔１１６ａから離座し、圧力開放孔１１６ａは開弁される。一方、図８に示すように、開閉操作部１０６が吐水位置に摺動され、マグネット１０６ａがパイロット弁体１１８から離間した位置に移動されると、マグネット１０６ａがパイロット弁体１１８に及ぼす磁力は低下し、パイロット弁体１１８はコイルばね１２０の付勢力により圧力開放孔１１６ａに押し付けられる。これにより、パイロット弁体１１８は圧力開放孔１１６ａに着座され、圧力開放孔１１６ａが閉弁される。従って、本実施形態においては、パイロット弁体１１８のパイロット弁体本体部１１８ａ、及びコイルばね１２０は、弁体移動機構として機能する。
【００７５】
次に、本発明の第２実施形態によるシャワーヘッド１００の動作を説明する。
まず止水状態では、図８に示すように、開閉操作部１０６の弁制御部材であるマグネット１０６ａがパイロット弁体１１８のパイロット弁体本体１１８ａから離間した位置（止水位置）に配置されている。この状態においては、コイルばね１２０の付勢力によりパイロット弁体１１８が、主弁体１１６の圧力開放孔１１６ａを閉塞する。これにより、ケーシング１１４の流入部１１４ａから主弁体１１６の小孔１１６ｂを通って圧力室１２４に流入した湯水混合水ＭＷが圧力室１２４内に充満し、この水圧により主弁体１１６が弁座１１４ｂに着座される。したがって、開閉弁１１０が閉弁され、開閉弁１１０よりも下流側に湯水混合水ＭＷが流れなくなる。
【００７６】
続いて、図９に示すように、使用者により、開閉操作部１０６が吐水位置へ摺動操作されると、マグネット１０６ａはパイロット弁体１１８に近接する位置まで移動される。
吐水位置においては、開閉操作部１０６の弁制御部材であるマグネット１０６ａとパイロット弁体本体１１８ａとの間に作用する磁力によりパイロット弁体１１８がマグネット１０６ａ側に引き寄せられる。これにより、パイロット弁体１１８が圧力開放孔１１６ａから離座して、圧力開放孔１１６ａが開弁され、圧力室１２４内に充満していた湯水混合水ＭＷが圧力開放孔１１６ａから排出されるため、主弁体１１６が弁座１１４ｂから離間し、主弁体１１６と弁座１１４ｂの間に流路ができ、この流路から流出部１１４ｃに湯水混合水ＭＷが流出する。開閉弁１１０を通過した湯水混合水ＭＷは、第２通水路形成部材１１２を通り、散水板１０４の各ノズル１０４ａから吐水される。
【００７７】
すなわち、本発明の第２実施形態において、開閉操作部１０６の弁制御部材であるマグネット１０６ａと弁体移動機構を構成するパイロット弁体本体部１１８ａの間に作用する磁力によってパイロット弁体１１８が開閉操作部１０６の摺動方向に対して交差する方向に移動され、圧力室１２４の圧力開放孔１１６ａが開放される。
【００７８】
また、マグネット１０６ａは所定温度以上になると磁性が低下する材質で形成されているので、シャワーヘッド本体１０２に高温の湯が流入して、マグネット１０６ａの温度が上昇すると、パイロット弁体本体１１８ａとの間に作用する磁力が低下する。
パイロット弁体本体１１８ａに作用する磁力が低下すると、開閉操作部１０６が吐水位置（図９）に移動された状態であっても、マグネット１０６ａはパイロット弁体１１８を引き上げることができなくなる。
これにより、シャワーヘッド１００に高温の湯が供給された場合には、主弁体１１６の圧力開放孔１１６ａを開弁することができず、開閉弁１１０を開弁させることができなくなるので、高温の湯の吐出を防止することができる。
【００７９】
次に、図１０乃至１２を参照して、本発明の第３実施形態による水栓装置を説明する。
本実施形態においては、本発明を水栓装置であるプルアウト式水洗の吐水ヘッドに適用している。図１０は、本発明の第３実施形態による吐水ヘッドの斜視図である。図１１は本実施形態による吐水ヘッドの全断面図であり、図１２は吐水ヘッドに内蔵されている開閉弁の部分を拡大して示す断面図である。
【００８０】
本実施形態の吐水ヘッド２００は、開閉弁を内蔵したものである。図１０に示すように、吐水ヘッド２００は、外郭を形成する水栓本体である吐水ヘッド本体２０２と、吐水ヘッド本体２０２の先端部に設けられた吐水部２０４と、この吐水部２０４に隣接して設けられた開閉操作部２０６とを備えている。本実施形態の吐水ヘッド２００は、使用者が吐水ヘッド本体２０２の基端部を把持しながら開閉操作部２０６を摺動操作することにより、吐水部２０４からの吐水と止水を切り換えられるようになっている。
【００８１】
図１１に示すように、吐水ヘッド本体２０２には、吐水ヘッド本体２０２の基端部に取り付けられ、ホース２０８ａが接続される接続部材２０８と、この接続部材２０８の先端に接続された開閉弁２１０と、この開閉弁２１０の下流側に接続された吐水部２０４が設けられている。
【００８２】
開閉操作部２０６は、吐水ヘッド本体２０２の吐水部２０４に隣接して設けられた概ね平板状の部材であり、吐水ヘッド本体２０２上で摺動可能に取り付けられている。また、開閉操作部２０６の背面側には、弁制御部材であるマグネット２０６ａが埋め込まれている。本実施形態において、開閉操作部２０６及びマグネット２０６ａは、開閉弁操作部として機能する。
接続部材２０８は、吐水ヘッド本体２０２の基端から吐水ヘッド本体２０２内に延びるように取り付けられ、吐水ヘッド本体２０２にホース２０８ａを接続する管状の部材である。また、接続部材２０８の先端は開閉弁２１０の上流側に接続されている。
【００８３】
開閉弁２１０は、ダイヤフラム式の開閉弁であり、開閉操作部２０６の摺動操作により、開閉されるように構成されている。詳細については後述する。
吐水部２０４は、吐水ヘッド本体２０２の先端から突出するように取り付けられた管状の部材であり、その基端部は開閉弁２１０の下流側に接続されている。この吐水部２０４を通過した水は、整流され、吐水されるようになっている。
【００８４】
図１１に示すように、開閉弁２１０は、弁座が形成されたケーシング２１４と、主弁体２１６と、パイロット弁体２１８と、このパイロット弁体２１８が取り付けられた吸着部材２１９と、吸着部材２１９を付勢するコイルばね２２０と、吸着部材２１９を摺動可能に支持する圧力室形成部材２２２と、を備えている。なお、本実施形態において、吸着部材２１９は、弁体移動部材として機能する。
【００８５】
ケーシング２１４の内部には、接続部材２０８と連通される流入部２１４ａと、この流入部２１４ａの下流側に設けられた円環状の弁座２１４ｂと、この弁座２１４ｂによって形成される弁口の下流側に設けられた流出部２１４ｃが形成されている。
【００８６】
主弁体２１６は、概ね円盤状の弁体であり、その中心には円形の圧力開放孔２１６ａが形成され、周縁部には円形の小孔２１６ｂが形成されている。主弁体２１６は、ケーシング２１４に設けられた弁座２１４ｂと対向するように配置され、弁座２１４ｂに着座及び離座できるようになっている。
【００８７】
圧力室形成部材２２２は、概ねカップ形の部材であり、その周縁部とケーシング２１４との間に主弁体２１６の外周を挟持することにより、主弁体２１６を固定している。さらに、圧力室形成部材２２２の中央部には、パイロット弁体２１８が取り付けられた吸着部材２１９を摺動可能に受け入れる円形の弁摺動凹部２２２ａが形成されている。この弁摺動凹部２２２ａの中にはコイルばね２２０及び吸着部材２１９に取り付けられたパイロット弁体２１８が配置され、コイルばね２２０の付勢力によりパイロット弁体２１８が主弁体２１６の圧力開放孔２１６ａに向けて付勢される。ここで、圧力室形成部材２２２の内壁面及び主弁体２１６の上面（弁座２１４ｂの反対側の面）によって囲まれた空間は圧力室２２４として機能する。また、主弁体２１６の圧力開放孔２１６ａは、圧力室２２４に設けられた圧力開放孔として機能する。
【００８８】
吸着部材２１９は、磁性材料製の円盤状の部材であり、円形断面の弁摺動凹部２２２ａの中に摺動可能に配置されている。
パイロット弁体２１８は弾性材料製の概ね円柱状の弁体であり、圧力開放孔２１６ａに向けて吸着部材２１９の中心に取り付けられている。また、パイロット弁体２１８は、主弁体２１６の圧力開放孔２１６ａと対向して配置され、吸着部材２１９を付勢するコイルばね２２０の付勢力により圧力開放孔２１６ａを閉弁可能に配置されている。
【００８９】
図１２に示すように、開閉操作部２０６が吐水位置に摺動され、マグネット２０６ａが吸着部材２１９に近接する位置に移動されると、パイロット弁体２１８は、吸着部材２１９と共にマグネット２０６ａの磁力によりコイルばね２２０の付勢力に抗して引きあげられる。これにより、パイロット弁体２１８は、主弁体２１６の圧力開放孔２１６ａから離座し、圧力開放孔２１６ａは開弁される。一方、図１１に示すように、開閉操作部２０６が吐水位置に摺動され、マグネット２０６ａが吸着部材２１９から離間した位置に移動されると、マグネット２０６ａが吸着部材２１９に及ぼす磁力は低下し、パイロット弁体２１８はコイルばね２２０の付勢力により圧力開放孔２１６ａに押し付けられる。これにより、パイロット弁体２１８は圧力開放孔２１６ａに着座され、圧力開放孔２１６ａが閉弁される。従って、本実施形態においては、パイロット弁体２１８に取り付けられた吸着部材２１９、及びコイルばね２２０は、弁体移動機構として機能する。
【００９０】
次に、本発明の第３実施形態による吐水ヘッド２００の動作を説明する。
まず止水状態では、図１１に示すように、開閉操作部２０６の弁制御部材であるマグネット２０６ａが、パイロット弁体２１８が取り付けられた吸着部材２１９から離間した位置（止水位置）に配置されている。この状態においては、コイルばね２２０の付勢力によりパイロット弁体２１８が、主弁体２１６の圧力開放孔２１６ａを閉塞する。これにより、ケーシング２１４の流入部２１４ａから主弁体２１６の小孔２１６ｂを通って圧力室２２４に流入した湯水混合水ＭＷが圧力室２２４内に充満し、この水圧により主弁体２１６が弁座２１４ｂに着座される。したがって、開閉弁２１０が閉弁され、開閉弁２１０よりも下流側に湯水混合水ＭＷが流れなくなる。
【００９１】
続いて、図１２に示すように、使用者により、開閉操作部２０６が吐水位置へ摺動操作されると、マグネット２０６ａはパイロット弁体２１８が取り付けられた吸着部材２１９に近接する位置まで移動される。
吐水位置においては、開閉操作部２０６の弁制御部材であるマグネット２０６ａと吸着部材２１９との間に作用する磁力によりパイロット弁体２１８がマグネット２０６ａ側に引き寄せられる。これにより、パイロット弁体２１８が圧力開放孔２１６ａから離座して、圧力開放孔２１６ａが開弁され、圧力室２２４内に充満していた湯水混合水ＭＷが圧力開放孔２１６ａから排出されるため、主弁体２１６が弁座２１４ｂから離間し、主弁体２１６と弁座２１４ｂの間に流路ができ、この流路から流出部２１４ｃに湯水混合水ＭＷが流出する。開閉弁２１０を通過した湯水混合水ＭＷは、吐水部２０４から吐水される。
【００９２】
すなわち、本発明の第３実施形態において、開閉操作部２０６の弁制御部材であるマグネット２０６ａと弁体移動機構を構成する吸着部材２１９の間に作用する磁力によってパイロット弁体２１８が開閉操作部２０６の摺動方向に対して交差する方向に移動され、圧力室２２４の圧力開放孔２１６ａが開放される。
【００９３】
以上、本発明の好ましい実施形態を説明したが、上述した実施形態に種々の変更を加えることができる。特に、上述した実施形態においては、弁制御部材として永久磁石であるマグネットが取り付けられ、このマグネットにより磁性材料製の弁体移動部材（プランジャ、パイロット弁体本体部、吸着部材）を吸着していたが、弁体移動部材を永久磁石により構成することもできる。或いは、弁制御部材を磁性材料製の部材で構成し、弁体移動部材を永久磁石により構成することもできる。
【００９４】
また、弁体移動部材（プランジャ、パイロット弁体本体部、吸着部材）を永久磁石で構成し、弁制御部材を磁性材料で構成する場合においては、弁体移動部材を、所定温度（例えば５５度）以上になると磁性を失うように構成するのが良い。このように構成すると、水栓本体内に高温の湯が流入して、弁体移動部材が所定温度以上になると、弁制御部材との間に作用する磁力が低下して、開閉弁を開弁させることができなくなる。これにより、水栓本体内に高温の湯が流入した場合には、弁体移動部材を引き上げることができなくなり、各開閉弁を開弁させることができなくなるので、高温の湯の吐出を防止することができる。
【符号の説明】
【００９５】
１    水栓装置
２    湯供給管
４    水供給管
６    カラン
８    シャワーヘッド
８ａ  シャワーホース
１０    開閉操作部
１０ａ  連結部材
１０ｂ  マグネット（弁制御部材）
１２    温調ハンドル
１４    流調ハンドル
１６    水栓本体
１８    前面カバー
２０    背面カバー
２２    外郭部材
２２ａ  左開口
２２ｂ  右開口
２２ｃ  湯供給口
２２ｄ  水供給口
２２ｅ  カラン接続口
２２ｆ  シャワー接続口
２４    内部ケーシング
２４ａ  左開口
２４ｂ  右開口
２６    温調ユニット
２６ａ  流出口
２８    開閉弁ユニット
３０、３１  プランジャ（弁体移動部材）
３２、３３  プランジャ付勢ばね
３４ａ、３４ｂ  Ｏリング
３６    流調ノブ
４０ａ、４０ｂ  押えリング
４２ａ  第一本体部材
４２ｂ  第二本体部材
４２ｃ  湯側シート面
４２ｄ  水側シート面
４４    温調主弁体
４６    送りねじ
４８    摺動部材
５０    バイアスばね
５２    感温ばね
５４ａ、５４ｂ  開閉弁
５６    弁体
５６ａ、５６ｂ  切欠
５６ｃ  操作ギア
５８    ケーシング
５８ａ  ボア
５８ｂ  流入口
５８ｃ、５８ｄ  平面部
６０、６１  主弁体
６０ａ、６１ａ  小孔
６２、６３  主弁体抑え
６２ａ、６３ａ  基部
６２ｂ、６３ｂ  主弁体収納部
６２ｃ、６３ｃ  凹部
６２ｄ、６３ｄ  圧力開放孔
６４、６５  主弁体抑え固定板
６４ａ、６５ａ  基部
６４ｂ、６５ｂ  膨出部
６６    固定ねじ
６８、６９  パイロット弁体
７０、７１  付勢ばね
７２、７３  弁座
７４、７５  圧力室
７６    保持用マグネット（開閉弁操作部保持手段）
７８、８０  摺動抵抗用マグネット（摺動抵抗手段）
１００    シャワーヘッド
１０２    シャワーヘッド本体
１０４    散水板
１０４ａ  ノズル
１０６    開閉操作部
１０６ａ  マグネット（弁制御部材）
１０８    第１通水路形成部材
１１０    開閉弁
１１２    第２通水路形成部材
１１４    ケーシング
１１４ａ  流入部
１１４ｂ  弁座
１１４ｃ  流出部
１１６    主弁体
１１６ａ  圧力開放孔
１１６ｂ  小孔
１１８    パイロット弁体
１１８ａ  パイロット弁体本体部（弁体移動部材）
１２０    コイルばね
１２２    圧力室形成部材
１２２ａ  パイロット弁摺動凹部
１２４    圧力室
２００    吐水ヘッド
２０２    吐水ヘッド本体
２０４    吐水部
２０６    開閉操作部
２０６ａ  マグネット
２０８    接続部材
２０８ａ  ホース
２１０    開閉弁
２１４    ケーシング
２１４ａ  流入部
２１４ｂ  弁座
２１４ｃ  流出部
２１６    主弁体
２１６ａ  圧力開放孔
２１８    パイロット弁体
２１９    吸着部材（弁体移動部材）
２２０    コイルばね
２２２    圧力室形成部材
２２２ａ  弁摺動凹部
２２４    圧力室
【図１】
0006583607.tif 000002
【図２】
0006583607.tif 000003
【図３】
0006583607.tif 000004
【図４】
0006583607.tif 000005
【図５】
0006583607.tif 000006
【図６】
0006583607.tif 000007
【図７】
0006583607.tif 000008
【図８】
0006583607.tif 000009
【図９】
0006583607.tif 000010
【図１０】
0006583607.tif 000011
【図１１】
0006583607.tif 000012
【図１２】
0006583607.tif 000013